(57)【要約】【課題】製版工程において、検版作業よりも前の作業で修正の誤りを発見して誤りを正すことが可能な修正方法を提示すること。【解決手段】修正する前の前記割付データをディスプレイ画面に表示し、次に前記第１の割付データが表示されたディスプレイ画面より第１の割付画像を作成し、次に前記第１の割付データを修正して第２の割付データを作成し、次に前記第２の割付データが表示されたディスプレイ画面より第２の割付画像を作成し、次に前記第１の割付画像と前記第２の割付画像とを重ね合わせて統合画像を作成し、次に第１の割付画像と第２の割付画像の相違点を特定して指示通り修正がなされているかを確認し、修正作業内で前記第１の割付データと前記第２の割付データとの相違点を特定することを特徴とする修正方法。【選択図】図２
2006293894.tif 000002
【特許請求の範囲】
【請求項１】
ディスプレイ画面を有する割付装置を用いて、印刷される部品データを割付けた割付データを、指示に従って修正する修正方法において、
修正する前の前記割付データである第１の割付データを前記ディスプレイ画面に表示する、第１の割付データ表示工程と、
次に、前記第１の割付データが表示されたディスプレイ画面より第１の割付画像を作成する、第１の割付画像作成工程と、
次に、前記第１の割付データを修正して第２の割付データを作成する、第２の割付データ作成工程と、
次に、前記第２の割付データが表示されたディスプレイ画面より第２の割付画像を作成する、第２の割付画像作成工程と、
次に、前記第１の割付画像と前記第２の割付画像とを重ね合わせて統合画像を作成する統合画像作成工程と、
次に、第１の割付画像と第２の割付画像の相違点を特定して指示通り修正がなされているかを確認する、確認工程と、
次に、指示通りに修正がされていない場合に前記第２の割付データを修正する、第２の割付データ修正工程と、
を有し、
前記第２の割付データをＲＩＰ展開する前の修正作業内で、前記第１の割付データと前記第２の割付データとの相違点を特定することを特徴とする修正方法。
【請求項２】
ディスプレイ画面を有する割付装置を用いて、印刷される部品データを割付けた割付データを、指示に従って修正する修正方法において、
修正する前の前記割付データである第１の割付データを前記ディスプレイ画面に表示する、第１の割付データ出力工程と、
次に、前記第１の割付データが表示されたディスプレイ画面から第１の割付画像を作成する、第１の割付画像作成工程と、
次に、前記第１の割付画像を１色の階調画像に変換して第１の階調割付画像を作成する、第１の割付画像変換工程と、
次に、前記第１の割付データを修正して第２の割付データを作成する、第２の割付データ作成工程と、
次に、前記第２の割付データが表示されたディスプレイ画面から第２の割付画像を作成する、第２の割付画像作成工程と、
次に、前記第２の割付画像を、１色の階調画像に変換して第２の階調割付画像を作成する、第２の割付画像変換工程と、
次に、前記第１の階調割付画像と前記第２の階調割付画像とを重ね合わせて階調統合画像を作成する階調統合画像作成工程と、
次に、第１の階調割付画像と第２の階調割付画像の相違点を特定して指示通り修正がなされているかを確認する、確認工程と、
次に、指示通りに修正がされていない場合に前記第２の割付データを修正する、第２の割付データ修正工程と、
を有し、
前記第２の割付データをＲＩＰ展開する前の修正作業内で、前記第１の割付データと前記第２の割付データとの相違点を特定することを特徴とする請求項１記載の修正方法。
【請求項３】
前記第１の階調割付画像はシアン又はマゼンタであり、前記第２の階調割付画像は、前記第１の階調割付画像がシアンであるときはマゼンタで、前記第１の階調割付画像がマゼンタであるときはシアンであることを特徴とする請求項２記載の修正方法。
【請求項４】
前記統合画像は第１の割付画像を点滅可能であり、前記階調統合画像は第１の階調統合画像を点滅可能である事を特徴とする請求項１乃至請求項３何れか一つに記載の修正方法。
【請求項５】
前記統合画像作成工程又は階調統合画像作成工程の次に、第１の割付画像と第２の割付画像との差分を取った差分画像、又は、第１の階調割付画像と第２の階調割付画像との差分を取った差分画像、を作成する差分画像作成工程を有している事を特徴とする請求項１乃至請求項４何れか一つに記載の修正方法。
【発明の詳細な説明】
【技術分野】
【０００１】
本発明は、印刷される部品データを割付けた割付データを指示に従って修正する修正方法に関するものであり、特に詳細には、修正作業中に修正前の割付データと修正後の割付データとの相違点を特定し、指示通りに修正がなされているかを確認する事が可能な修正方法に関する。
【背景技術】
【０００２】
従来より、印刷物を製造する工程の一つに製版工程という工程が存在する。これは、図１に示すように、印刷を行なうための版を作る前の工程であり、部品データを所定の位置に割付けた割付データを作成した後、割付データをシアン、マゼンタ、キイロ、黒の４色の刷版用フィルムに出力する工程である。そして、出力された４色の刷版用フィルムは版を作る刷版工程へと渡され、刷版工程で版が作成されてゆく。
【０００３】
ここで製版工程には、図１に示すように、主に、割付作業、修正作業、検版作業が存在する。図１は、従来の製版工程の概念工程図である。図１において、１は割付作業、２はＲＩＰ展開、３は検版作業、４は修正作業である。
【０００４】
図１において、割付作業１は、主に割付装置を用いて入稿された部品データを頁の所定の位置に割付けて割付データを作成するという作業である。修正作業４は、一度作成された割付データを修正する作業であり、検版作業３は修正作業４が指示通りに行われたかどうかを確認する作業である。このように、修正作業４と検版作業３が存在するのは、割付作業１を割付装置で行うことに起因する。つまり割付作業１を割付装置で行なうため、割付データを紙に出力して、文章がおかしい箇所はないか、画像やイラストや見出しの位置は的確か、文字化けや余計な文字や記号や画像等が存在しないか等の確認をする必要があるのである。そして修正が必要な箇所には、修正指示が出されるため、修正指示に従って、割付装置で割付データを書き換え、新たな割付データを作成するのが修正作業４である。また、検版作業３は、修正前の割付データと、修正後の割付データを比較して相違点を特定し、指示通り修正がなされているかを確認する作業であり、具体的には、修正前の割付データが出力された紙やフィルムと、修正後の割付データが出力された紙やフィルムを比較し、相違点を特定して余計な修正がないかどうか、文字の抜けや誤字等がないかどうか等を確認している。なお、部品データとは、頁に割付けられるデータであり、印刷機によって紙に印刷されるものである。例えば、文章、見出し文字、ロゴ、写真（画像や絵柄等）及び、イラスト等が挙げられるが、これに限定するわけではない。
【０００５】
ここで、割付データは紙に出力される場合と、刷版用フィルムに出力される場合の２通りが存在する。図１において、点線は割付データを紙に出力し、紙によって検版作業３を行なう際の流れを示しており、実線は割付データを刷版用フィルムに出力し、刷版用フィルムによって検版作業３を行なう際の流れを示している。
【０００６】
しかし、従来の製版工程では、検版作業３中に誤った修正を発見すると、誤りを修正するまでにかなりの時間がかかるという問題を有していた。すなわち、割付装置の数に限りがあること、及び、作業の効率化のために、修正作業４と検版作業３は別の者によって行なわれているため、検版作業３中に誤りを発見した場合は、修正作業４を行なった者まで作業を戻す必要があり、修正されるまでにかなりの時間がかかってしまっていたのである。
【０００７】
特に、修正前の割付データと修正後の割付データを刷版用フィルムに出力し、刷版用フィルムを用いて検版作業４を行なった際に、誤った修正を発見した場合では、誤りを正した新たな刷版用フィルムを出力するのにかなりの時間がかかるという問題を有していた。すなわち、刷版用フィルムを作成するには、図１に示すように、ＲＩＰ展開２という割付データの解析処理を行なわなければならない。ここでＲＩＰとは、Ｒａｓｔｅｒ  Ｉｍａｇｅ  Ｐｒｏｃｅｓｓｉｎｇの略であり、ＲＩＰ展開とは、数学的な数値情報をプリンタが処理できるピクセル単位の情報（ラスターデータ）に解析処理することである。つまり、割付装置事毎に様々な構造を有している割付データの構造を、ＲＩＰ展開２する事によってピクセル単位の情報に揃えているのである。しかし、刷版用フィルムを用いて検版した際に、誤りを正した新たな刷版用フィルムを出力するには、再びＲＩＰ展開２をする必要が生じるため、かなりの時間を必要としていた。そこで検版作業３より前の作業で、修正の誤りを発見して誤りを正す事が可能な製版工程が求められていた。
【０００８】
ここで特許文献１には、検版装置が開示されている。しかし特許文献１が開示する検版装置はＲＩＰ展開後の検版作業で使用する検版装置であるため、検版作業よりも前の作業で修正の誤りを発見することはできなかった。
【特許文献１】特許第２８１６０９１号公報
【発明の開示】
【発明が解決しようとする課題】
【０００９】
そこで、本願発明はこのような問題点を解決するためになされたものであり、製版工程において、検版作業よりも前の作業で修正の誤りを発見して誤りを正すことが可能な修正方法を提示することを課題とする。
【課題を解決するための手段】
【００１０】
上記課題を解決するため本願発明の請求項１は、ディスプレイ画面を有する割付装置を用いて、印刷される部品データを割付けた割付データを、指示に従って修正する修正方法において、修正する前の前記割付データである第１の割付データを前記ディスプレイ画面に表示する、第１の割付データ表示工程と、前記第１の割付データが表示されたディスプレイ画面より第１の割付画像を作成する、第１の割付画像作成工程と、次に、前記第１の割付データを修正して第２の割付データを作成する、第２の割付データ作成工程と、次に、前記第２の割付データが表示されたディスプレイ画面より第２の割付画像を作成する、第２の割付画像作成工程と、次に、前記第１の割付画像と前記第２の割付画像とを重ね合わせて統合画像を作成する統合画像作成工程と、次に、第１の割付画像と第２の割付画像の相違点を特定して指示通り修正がなされているかを確認する、確認工程と、次に、指示通りに修正がされていない場合に前記第２の割付データを修正する、第２の割付データ修正工程と、を有し、前記第２の割付データをＲＩＰ展開する前の修正作業内で、前記第１の割付データと前記第２の割付データとの相違点を特定することを特徴とする修正方法である。
【００１１】
また本願請求項２記載の発明は、ディスプレイ画面を有する割付装置を用いて、印刷される部品データを割付けた割付データを、指示に従って修正する修正方法において、修正する前の前記割付データである第１の割付データを前記ディスプレイ画面に表示する、第１の割付データ出力工程と、次に、前記第１の割付データが表示されたディスプレイ画面から第１の割付画像を作成する、第１の割付画像作成工程と、次に、前記第１の割付画像を１色の階調画像に変換して第１の階調割付画像を作成する、第１の割付画像変換工程と、次に、前記第１の割付データを修正して第２の割付データを作成する、第２の割付データ作成工程と、次に、前記第２の割付データが表示されたディスプレイ画面から第２の割付画像を作成する、第２の割付画像作成工程と、次に、前記第２の割付画像を、１色の階調画像に変換して第２の階調割付画像を作成する、第２の割付画像変換工程と、次に、前記第１の階調割付画像と前記第２の階調割付画像とを重ね合わせて階調統合画像を作成する階調統合画像作成工程と、次に、第１の階調割付画像と第２の階調割付画像の相違点を特定して指示通り修正がなされているかを確認する、確認工程と、次に、指示通りに修正がされていない場合に前記第２の割付データを修正する、第２の割付データ修正工程と、を有し、前記第２の割付データをＲＩＰ展開する前の修正作業内で、前記第１の割付データと前記第２の割付データとの相違点を特定することを特徴とする請求項１記載の修正方法である。
【００１２】
また本願請求項３記載の発明は、前記第１の階調割付画像はシアン又はマゼンタであり、前記第２の階調割付画像は、前記第１の階調割付画像がシアンであるときはマゼンタで、前記第１の階調割付画像がマゼンタであるときはシアンであることを特徴とする請求項２記載の修正方法である。
【００１３】
また本願請求項４記載の発明は、前記統合画像は第１の割付画像を点滅可能であり、前記階調統合画像は第１の階調統合画像を点滅可能である事を特徴とする請求項１乃至請求項３何れか１つに記載の修正方法である。
【００１４】
また本願請求項５記載の発明は、前記統合画像作成工程又は階調統合画像作成工程の次に、第１の割付画像と第２の割付画像との差分を取った差分画像、又は、第１の階調割付画像と第２の階調割付画像との差分を取った差分画像、を作成する差分画像作成工程を有している事を特徴とする請求項１乃至請求項４何れか一つに記載の修正方法である。
【発明の効果】
【００１５】
本願発明の請求項１記載の発明によれば、修正する前の前記割付データである第１の割付データを前記ディスプレイ画面に表示する、第１の割付データ表示工程と、前記第１の割付データが表示されたディスプレイ画面より第１の割付画像を作成する、第１の割付画像作成工程と、次に、前記第１の割付データを修正して第２の割付データを作成する、第２の割付データ作成工程と、次に、前記第２の割付データが表示されたディスプレイ画面より第２の割付画像を作成する、第２の割付画像作成工程と、次に、前記第１の割付画像と前記第２の割付画像とを重ね合わせて統合画像を作成し、第１の割付画像と第２の割付画像の相違点を特定して指示通り修正がなされているかを確認する、確認工程と、次に、指示通りに修正がされて無い場合に前記第２の割付データを修正する、第２の割付データ修正工程と、を有するため、前記第２の割付データをＲＩＰ展開する前の修正作業内で、前記第１の割付データと前記第２の割付データとの相違点を特定する事が可能であるため、修正作業中に修正の誤りを発見して誤りを正す事が可能になり、後工程である検版作業において、修正の誤りの発見数を減らす事が可能になり、製版工程の作業効率を向上させる事が可能になる。
【００１６】
つまり、本願発明の修正方法では、修正する前の割付データである第１の割付データを出力した画面の画像である第１の割付画像と、修正した後の割付データである第２の割付データを出力した画面の画像である第２の割付画像とを、重ね合わせた統合画像を作成するため、第１の割付画像と第２の割付画像とに相違が存在すると、第１の割付画像と第２の割付画像とが一致せずに煩雑な状態となる。よって容易に相違点を特定する事が可能であり、指示通りに修正しているかどうかを確認する事が可能である。更に、指示通りに修正がされていない場合には、前記第２の割付データを修正する事が可能である。よって、修正作業内に、従来の製版工程の検版作業で行なう確認作業と、検版作業から修正作業に作業を戻すという２つの作業を行なう事が可能になり、製版工程の作業効率を向上させる事が可能になる。
【００１７】
なお、本願発明では、第１の割付画像と第２の割付画像とを比較するため、確認作業にそれほど時間をかけることなく、効率良く確認作業を行なう事が可能である。例えば、刷版用フィルムによる検版作業では、第１の割付データと第２の割付データは、少なくともシアン、マゼンタ、キイロ、黒の４色に分解され、シアン用、マゼンタ用、キイロ用、黒用の４枚の刷版用フィルムが存在するため、色毎に確認作業を行なう必要がある。しかし、本願発明では、第１の割付画像と第２の割付画像は、シアン、マゼンタ、キイロ、黒に分解されていないため、１回の確認作業で済み、確認作業にそれほど時間を取られることはない。
【００１８】
更に、本願発明によれば、修正作業においても検版作業と同様の確認作業を行なう事が可能になるため、誤った修正等による事故をより防ぐ事が可能になる。すなわち、従来の製版工程では、修正作業に誤りが存在した場合であっても、誤りを発見するのは検版作業のみであったため、検版作業が誤りを見落とすと、そのまま印刷されてしまい、存在してはならない文字や画像等が印刷物に存在してしまったり、逆に、存在しなければならない文字や画像等が印刷物に存在してしまうという事故が発生していた。しかし、本願発明によれば、修正作業と検版作業の両方で確認作業を行なう事が可能であるため、検版作業者の負担を軽減する事が可能になり、事故を防ぐ事がより可能になる。
【００１９】
ここで、第１の割付画像は、第１の割付データを割付装置のディスプレイ画面に表示した際の画像と略同じ画像であり、第１の割付データが表示された割付装置のディスプレイ画面より作成される画像である。例えば、第１の割付データを割付装置のディスプレイ画面に表示し、スクリーンショット機能を用いることで簡単に作成する事が可能である。なおスクリーンショット機能とは、ディスプレイ画面に表示されている画面イメージを画像ファイルとして保存したり、クリップボード等にコピーする機能であり、割付装置に標準で備わっている機能である。また、第２の割付画像も第２の割付画像と同様に、第２の割付データを割付装置のディスプレイ画面に表示した際の画像と略同じ画像であり、第２の割付データが表示された割付装置のディスプレイ画面より作成される画像である。例えば、第２の割付データを割付装置のディスプレイ画面に表示し、スクリーンショット機能を用いることで簡単に作成する事が可能である。このように本願発明では、第１の割付画像を第１の割付データが表示された割付装置のディスプレイ画面より作成可能であり、また、第２の割付画像を第２の割付データが表示された割付装置のディスプレイ画面より作成可能であるため、新たな設備を必要とせず、かつ、コストをかけずに確認作業を行なう事が可能である。更に、割付画像同士を比較するため、割付データを開くことができる環境であれば、ソフトに関係なく確認作業が可能である。なお、誤ってＲＩＰ展開装置に割付画像を入力してしまっても、割付画像は、ＲＩＰ展開装置が対応しているデータの構造ではないため、ＲＩＰ展開装置が反応しない。よって次工程に誤ったデータによる刷版用フィルムを渡すことはない。なお、第１の割付画像と第２の割付画像は、重ね合わせた際に、互いにずれないよう略同じ角度、大きさ、倍率で作成する必要がある。
【００２０】
また、本願請求項２記載の発明によれば、第１の割付画像を１色の階調画像に変換した第１の階調割付画像と、第２の割付画像を１色の階調画像に変換した第２の階調割付画像とを重ね合わせて階調統合画像を作成するため、より容易に相違点を特定する事が可能になり、指示通りに修正しているかどうかを確認する事が可能になる。
【００２１】
つまり本願請求項１記載の発明に包含される形態である、第１の割付画像と第２の割付画像とをそのまま重ねた場合では、色の刺激によって目が疲れてしまい、確認作業が困難になってしまう場合が考えられる。例えば、第１の割付データと第２の割付データがカラー画像を有する場合では、第１の割付画像と第２の割付画像をそのまま重ねてしまうと、カラー画像が有する色の刺激によって目が疲れてしまい、確認作業が円滑に行われなくなってしまう。特に割付データがカラー画像を有する等、色を多数有している場合では、色によって煩雑ではない部分を煩雑と感じてしまい、確認作業の効率が下がるという問題を有している。本願請求項２記載の発明では、第１の割付画像を１色の階調画像である第１の階調割付画像に変換し、第２の割付画像を１色の階調画像である第２の階調割付画像に変換して、第１の階調割付画像と第２の階調割付画像とを比較するため、色の刺激を抑えて目の疲れを軽減することが可能になり、より容易に相違点を特定することが可能である。特に、色を1色にするため、色によって煩雑に感じる事を防ぐことが可能になるため、確認作業を効率よく進めることが可能になる。
【００２２】
ここで、階調画像とは、濃淡のみで表した画像であり、階調割付画像とは、割付画像を１色の濃淡のみで表した画像である。よって濃度の高い部分は濃くなり、濃度が薄い部分は薄く表現される。なお、濃い部分と薄い部分とをどのように定義するのかは任意に設定する事が可能であるが、一般的に白い紙に印刷されることを考慮して、各部品データは、白い背景の上に割付けられる。よって、濃度ゼロを白とし、濃度１００をその色の最も濃い色にしたほうが、背景が白いままとなり、割付けた部品データのみの色を変更する事が可能になるため好ましいがこれ限定するわけではない。
【００２３】
また第１の階調割付画像と第２の階調割付画像を何色の階調画像にするかは、任意の色を採用する事が可能であるが、第１の階調割付画像と第２の階調割付画像とを重ね合わせた際に、相違点を特定しやすくするためにも、第１の階調割付画像が有する色と第２の階調割付画像が有する色が異なるようにした方が良い。このように第２の階調割付画像を、第１の階調割付画像が有する色とは異なる1色の階調画像に変換することによって、相違点がより煩雑となるため、より円滑に確認作業を進めることが可能である。また、第１の階調割付画像が有する色と第２の階調割付画像が有する色とが異なるようにする場合では、統合階調割付画像を作成した際に、一方の諧調割付画像が他方の階調割付画像によって隠されてしまうと、誤った修正が存在しても見落としてしまう場合が考えられるため、一方の階調割付画像が他方の階調割付画像で隠されてしまうような色を採用しないほうが好ましい。例えば、第１の階調割付画像を黒から白への階調画像とし、第２の階調割付画像を濃い黄色から薄い黄色への階調画像とした場合では、第１の階調割付画像と第２の階調割付画像を重ね合わせた際に、第１の階調割付画像によって第２の階調割付画像が隠れてしまい、相違点の特定が困難になることが考えられる。よって、使用する色は、第１の階調割付画像と第２の階調割付画像とを重ね合わせた際に、一方の階調割付画像によって他方の階調割付画像が隠されてしまわない色を採用する事が好ましい。なお、これに限定する必要は無く、任意の色を採用する事が可能であり、また第１の階調割付画像と第２の階調割付画像とで同じ色を採用することも可能である。また、採用する色は、階調割付画像を重ね合わせた際に、第１の割付データと第２の割付データとで違いがない部分は重なり合うため、重なり合った際の色が醜くならないように、第１の階調割付画像で採用する色と第２の階調割付画像で採用する色との混色が美しくなるように色を選択する事が好ましいがこれに限定するわけではない。
【００２４】
また本願請求項３記載の発明によれば、第１の階調割付画像はシアン又はマゼンタであり、前記第２の階調割付画像は、前記第１の階調割付画像がシアンであるときはマゼンタで、前記第１の階調割付画像がマゼンタであるときはシアンであるため、より目に負担をかけずに確認作業を行なう事が可能になる。
【００２５】
すなわち、シアンとマゼンタは、色料の三原色であるため、第１の階調割付画像と第２の階調割付画像とを重ね合わせた際に、第１の割付データと第２の割付データとで変更がない部分、つまり、第１の階調割付画像と第２の階調割付画像とが一致する部分の色が醜くなることを防ぐ事が可能である。更に、同じ三原色である、色光の三原色である赤、青、緑よりも色がやわらかく、また、第１の階調割付画像と第２の階調割付画像とが一致する部分の色は、薄い灰色がかった紫になるため、背景の白と相性がよく、目にかかる負担を軽減する事が可能になるのである。これに対し、例えば、色光の三原色である赤と青を採用した場合では、第１の階調割付画像と第２の階調割付画像とが一致する部分の色が濃い紫となるため、目に対する刺激が強くなってしまう。特に、印刷物は白い紙に印刷するため、階調統合画像の背景は白に設定されている事が多い。よって、赤と青を採用した場合では、第１の階調割付画像と第２の階調割付画像とが一致する部分の色が濃い紫となり、背景の白に対してコントラストが強くなるため、目に対する刺激が強くなってしまう。一方、シアンとマゼンタを採用した場合では、青を採用した場合では、第１の階調割付画像と第２の階調割付画像とが一致する部分の色が灰色かかった紫となるため、背景の白に対するコントラストが弱まり、目に対する刺激を弱くする事が可能である。
【００２６】
更に、印刷物においてシアン、マゼンタは必須の色でもあるため、オペレータも見慣れており、違和感なく作業を進める事が可能である。
【００２７】
なお、第１の階調割付画像がシアンとは、第１の階調割付画像がシアンの濃淡による階調画像ということである。また、第１の階調割付画像がマゼンタとは、第１の階調割付画像がマゼンタの濃淡による階調画像ということである。また、第２の階調割付画像がシアンとは、第２の階調割付画像がシアンの濃淡による階調画像ということであり、また、第２の階調割付画像がマゼンタとは、第２の階調割付画像がマゼンタの濃淡による階調画像ということである。またシアンとは色の三原色の一つ色で、光の波長が約４５０ｎｍから５５０ｎｍの範囲の色である。マゼンタとは色の三原色の一つで、光の波長が約４００nmから４５０nmの範囲の色である。
【００２８】
また本願請求項４記載の発明によれば、統合画像は、第１の割付画像を点滅可能であり、前記階調統合画像は第１の階調統合画像を点滅可能であるため、より正確な確認作業が可能になる。
【００２９】
すなわち、本願請求項２又は請求項３に包含される形態である、統合画像が第１の割付画像又を点滅する事が出来ず統合画像のみを表示する場合や、階調統合画像が、第１の階調割付画像又を点滅する事が出来ず、階調統合画像のみを表示する場合では、例えば、相違している部分を特定できても、修正が指示どおりなされているかの確認が困難になってしまう場合が考えられる。例えば、修正の指示が、見出しの位置を少し上に位置するように変更し、かつ、見出しの内容をも変更するというものであった場合は、第１の割付画像と第２の割付画像を重ねた際に、見出しの部分が非常に煩雑になり、見出しが相違していることは確認できても、見出しの内容が正しく修正されたかを確認することが困難になってしまう。本願請求項４記載の発明では、統合画像は、第１の割付画像を点滅可能であるため、第２の割付画像のみを表示した場合と第１の割付画像と重ねた場合とを表示する事が可能になり、複雑な修正作業であっても確認作業を行なう事が可能である。なお、上述した例では、第１の割付画像、第２の割付画像、及び、階調画像の場合を説明したが、第１の階調割付画像、第２の階調割付画像、及び、階調割付画像の場合も同様に、階調統合画像が第１の階調割付画像を点滅可能であるため、第２の階調割付画像のみを表示した場合と第１の階調割付画像と重ねた場合とを表示する事が可能になり、複雑な修正作業であっても確認作業を行なう事が可能である。
【００３０】
なお、点滅可能であるのは、第１の割付画像と第１の階調割付画像に限定する必要は無く、第２の割付画像や第２の階調割付画像も点滅可能にし、第１の割付画像のみを表示した場合と、第２の統合画像とを重ねた場合とを交互に表示したり、また、第１の階調割付画像のみを表示した場合と、第２の階調統合画像とを重ねた場合とを交互に表示したりするようにする事も可能である。
【００３１】
本願請求項５記載の発明によれば、前記統合画像作成工程又は階調統合画像作成工程の次に、第１の階調割付画像と第２の階調割付画像の差分を取った差分画像を作成する差分画像作成工程を有しているため、より正確な確認作業を行うことが可能になる。
【００３２】
すなわち、修正の指示には、部品データの位置を変更したり、部品データを追加したり、部品データを削除したり、部品データの文字の変更等の指示だけでなく、例えば、部品データである画像の色の赤みを消したり、青みを増やす等の色を変更するといったような、部品データの色を変えるという指示も存在する。しかし、本願請求項１乃至請求項４に包含される形態である、統合画像や階調統合画像のみで相違点を特定し確認作業を行う場合では、配置される位置は同じで色のみが変わった部品データは煩雑とならないため、色の修正が正しくなされたかどうかを確認することが困難となる。よって、第１の割付画像と第２の割付画像を比較したり、第１の階調割付画像と第２の階調割付画像とを比較することによって、色が変更されたかどうかを確認するようになるが、微小の色の変更の場合などは、色に長けた者でなければ確認が困難となる場合があった。本願請求項５記載の発明では、第１の階調割付画像と第２の階調割付画像との差分をとった差分画像を作成するため、部品データの色のみの変更であっても相違点を特定し、修正が正しくされているかどうかを確認する事が可能である。
【００３３】
ここで、差分画像とは、第１の割付画像と第２の割付画像との差を取った画像、及び、第１の階調割付画像と第２の階調割付画像との差を取った画像である。割付画像を得るためには、例えば、第１の割付画像と第２の割付画像とは大きさが同じであるため、画素を比較することとで可能である。具体的には、第１の割付画像の各位置が有する画素の値と、第２の割付画像が有する、第１の割付画像と同じ位置の画素の値とで引き算を行い、その答えが０にならない場合はその画素を表示させるようにすることで得ることが可能である。第１の階調割付画像と第２の階調割付画像との差を取った差分画像を得る場合も同様に、例えば画素を比較することで得ることが可能である。なお画素の比較以外にも、第１の割付画像と第２の割付画像との差、または、第１の階調割付画像と第２の階調割付画像との差を表現することが可能であれば任意の方法を採用して差分画像を作成することが可能である。
【００３４】
更に、差分画像は第１の割付画像と第２の割付画像との相違点、又は、第１の階調割付画像と第２の階調割付画像との相違点のみの画像であるため、オペレータが想定していなかった相違点の特定が可能になり、より正確な修正作業が可能になる。すなわち、修正作業には、オペレータも気が付かないうちにキーボードを押してしまうことがあり、余計な文字が入力されてしまう場合がある。このようにオペレータの気が付かないうちに入力されてしまった文字は、オペレータ自身も気づいていないため修正されないまま次工程流れてしまうことがある。本願請求項５記載の発明では、相違点のみの画像である差分画像を作成するため、オペレータが気付かずに入力してしまった文字等が存在しても、その誤りを修正することが可能になり、より正確な確認作業を行うことが可能である。
【発明を実施するための最良の形態】
【００３５】
以下、本願発明を図面に基づき詳細に説明する。
【実施例１】
【００３６】
図２は本願発明の修正方法を説明する概念図である。図２において、５は第１の割付データ表示工程、６は第１の割付画像作成工程、７は第１の階調割付画像作成工程、８は第２の割付データ作成工程、９は第２の割付画像作成工程、１０は第２の階調割付画像作成工程、１１は階調統合画像作成工程、１２は確認工程、１３は誤りがあるかどうかを判断する工程、１４はＲＩＰ展開等の次工程、１５は第２の割付データ修正工程である。
【００３７】
なお、本願発明の修正方法の主要部は割付装置であるコンピューターが有するプログラムにより処理可能であり、図２はそのフローチャートにあたる。また、本実施の形態では、割付装置のハード構成は、部品データ、第１の割付データ、及び、第２の割付データを記憶する記憶手段、演算を行なう演算手段、紙やディスプレイに出力する出力手段、キーボードやマウス等の入力手段を有している。なおこれに限定する必要は無く、少なくとも記憶手段、演算手段、出力手段、及び、入力手段を有していればよく、また、記憶手段、演算手段、出力手段、及び、入力手段は任意のものを採用する事が可能である。
【００３８】
図２において、第１の割付データ表示工程５は、第１の割付データを割付装置のディスプレイ画面に表示する工程であり、修正の指示が入ることによって開始される工程である。つまり、修正の指示が入り、修正作業が開始されると、第１の割付データ表示工程５において第１の割付データをディスプレイに表示する。第１の割付画像作成工程６は、第１の割付データが表示されたディスプレイ画面をスクリーンショット機能により撮影し、第１の割付画像を作成する工程である。つまり、第１の割付データがディスプレイ画面に表示されると、第１の割付画像作成工程６において、スクリーンショット機能により第１の割付画像が作成される。なお本実施の形態では、第１の割付画像をスクリーンショット機能により作成したがこれに限定する必要は無く、第１の割付画像を作成する事が可能であれば任意のやり方を採用する事が可能である。例えば、第１の割付データが表示されたディスプレイ画面をデジタルカメラで撮影し、第１の割付画像を作成する事も可能であるがこれに限定するわけではない。また第１の階調割付画像作成工程７は、第１の割付画像を１色の階調画像に変換する工程であり、第１の割付画像が作成されると、第１の階調割付画像作成工程７において、第１の割付画像が、１色の階調画像に変換される。本実施の形態では、第１の階調画像作成工程７において、第１の割付画像を白から黒までの濃淡だけで表現するグレー画像に変換した後、シアンによる濃淡だけの画像へと変換して、第１の階調割付画像を作成している。なお、本実施の形態では、様々な色を有するカラーの画像である第１の割付画像を、白から黒までの濃淡だけのグレー画像に変換してから、シアンによる濃淡の画像へと変換しているがこれに限定する必要はなく、カラーの画像から直接シアンによる濃淡だけの画像へと変換する事も可能である。また、色もシアンに限定する必要は無く、任意の色を採用する事が可能である。
【００３９】
また、第１の階調割付画像が作成されると、第２の割付データ作成工程８において、ディスプレイ画面に表示されている第１の割付データが修正される。第２の割付データ作成工程８では、入力手段であるキーボートとマウスを用いて第１の割付データを修正し、第２の割付データとして記憶手段に記憶する。そして第２の割付データが作成されると、第２の割付画像作成工程９によって、第２の割付データが表示されたディスプレイ画面をスクリーンショット機能により撮影し、第２の割付画像が作成される。なお本実施の形態では、第２の割付画像をスクリーンショット機能により作成したがこれに限定する必要は無く、第２の割付画像を作成する事が可能であれば任意のやり方を採用する事が可能である。例えば、第２の割付データが表示されたディスプレイ画面をデジタルカメラで撮影し、第２の割付画像を作成する事も可能であるがこれに限定するわけではない。また第２の割付画像が作成されると第２の階調割付画像作成工程１０によって、第２の割付画像は、第１の階調割付画像が有する色とは異なる１色の階調画像に変換される。本実施の形態では、第２の階調画像作成工程１０において、様々な色を有するカラー画像である第２の割付画像を、白から黒までの濃淡だけのグレー画像に変換してから、マゼンタによる濃淡の画像へと変換している。なお、本実施の形態では、様々な色を有するカラーの画像である第２の割付画像を、白から黒までの濃淡だけのグレー画像に変換してから、マゼンタによる濃淡の画像へと変換しているがこれに限定する必要はなく、カラーの画像から直接マゼンタによる濃淡だけの画像へと変換する事も可能である。また、色もマゼンタに限定する必要は無く、第１の階調割付画像と同じ色でなければ、任意の色を採用する事が可能である。
【００４０】
第１の階調割付画像と第２の階調割付画像とが作成されると、諧調統合画像作成工程１１において、第１の階調割付画像と第２の階調割付画像とを重ね合わせた階調統合画像が作成される。なお、本願発明では、階調統合画像によって第１の割付データと第２の割付データとの相違点を特定するため、第１の階調割付画像と第２の階調割付画像とを重ねた際に、一方の諧調割付画像によって他方の階調割付画像が見えなくなってしまう事がない様、第１の階調割付画像と第２の階調割付画像は背景を透明に設定して、第１の階調割付画像と第２の階調割付画像とを重ねた際に、一方の諧調割付画像によって他方の階調割付画像が見えなくなってしまう事を防ぐ必要がある。
【００４１】
また、階調統合画像作成工程１１によって階調統合画像が作成されると、確認工程１２において、階調統合画像より、第１の割付データと第２の割付データとの相違点を特定し、相違している部分は指示通りかどうかが確認される。本願発明では、階調統合画像は、第１の階調割付画像と第２の階調割付画像とを重ね合わせたものであるため、第１の割付データと第２の割付データとで相違していない部分は第１の階調割付画像と第２の階調割付画像とが一致し、第１の割付データと第２の割付データとで相違している部分は第１の階調割付画像と第２の階調割付画像とが一致せずに煩雑となる。よって容易に相違点を特定する事が可能である。特に本実施の形態では、階調統合画像から第１の階調統合画像を点滅する事が可能であるため、相違点を特定した後、第１の階調統合画像を階調統合画像から消去し、第２の階調統合画像のみを表示する事が可能になり、修正が指示通りであるかを容易に確認する事が可能である。
【００４２】
また、確認工程１２で誤りが存在した場合は、第２の割付データ修正工程１４において、キーボードとマウスによってディスプレイ画面に表示された第２の割付データが修正され、新たな第２の割付データが作成される。そして、作成された新たな第２の割付データは、第２の割付画像作成工程９、第２の階調画像作成工程１０を経て、第１の階調割付画像に重ねられて新たな階調統合画像となり、再び確認される。また、修正の誤りがない場合、第２の割付データは、次工程である検版工程で使用する刷版用フィルムを出力するためにRIP展開されたり、次工程である検版工程で使用されるために紙に出力される。なお、本実施の形態では、第２の割付データ修正工程１５も第２の割付データ作成工程８も、修正する対象が異なるだけでキーボートとマウスを用いて、ディスプレイ画面に表示された割付データを修正するという、同じ作業であり、第１の割付データ表示工程５、第１の割付画像作成工程６、第１の階調割付画像作成工程７、第２の割付データ作成工程８、第２の割付画像作成工程９、第２の階調割付画像作成工程１０、階調統合画像作成工程１１、確認工程１２、及び、第２の割付データ修正工程１５を、同じオペレータが１台の割付装置で行なうため、より早く、より正確に修正作業と確認作業を行なう事が可能である。なお、これに限定するわけではない。
【００４３】
また、本実施の形態では、第１の割付データ表示工程５、第１の割付画像作成工程６、第１の階調割付画像作成工程７、第２の割付データ作成工程８、第２の割付画像作成工程９、第２の階調割付画像作成工程１０、階調統合画像作成工程１１の順に作業を進めているがこれに限定する必要は無く、階調統合画像作成工程１１において第１の階調割付画像と第２の階調割付画像とを重ねあわせた階調統合画像を作成する事が可能であれば、任意の順にする事が可能である。例えば、第１の割付データ表示工程５の次の工程を、第２の割付データ作成工程８とし、次に第１の割付データ表示工程５、第１の割付画像作成工程６、第１の階調割付画像作成工程７、第２の割付データ表示工程、第２の割付画像作成工程９、第２の階調割付画像作成工程１０という順で作業を進め、第１の階調割付画像と第２の階調割付画像を作成する事も可能であるし、また例えば、第１の割付データ表示工程５、第１の割付画像作成工程６、第２の割付データ作成工程８、第２の割付画像作成工程９、第１の階調割付画像作成工程７、第２の階調割付画像作成工程１０という順で作業を進めることも可能である。なお、これらに限定する必要はなく、任意の順に作業を進める事が可能である。しかし、あまりにも作業が複雑になると、どちらの割付データをディスプレイ画面に表示しているのかが不明確になり、作業が遅くなる場合も考えられるため、第１の割付データ表示工程５、第１の割付画像作成工程６、及び、第１の階調割付画像作成工程７がこの順で１つのセットとなるよう、また、第２の割付データ作成工程８、第２の割付画像作成工程９、及び、第２の階調割付画像作成工程１０がこの順に1つのセットとなるよう、工程を組む事が好ましいがこれに限定するわけではない。また例えば、第１の割付データ表示工程５、第１の割付画像作成工程６、第１の階調割付画像作成工程７、第２の割付データ作成工程８、第２の割付画像作成工程９、第２の階調割付画像作成工程１０、階調統合画像作成工程１１の順に作業を進めた方が、第２の割付データ表示工程を省くことが可能になるため好ましいが、これに限定する必要は無い。なお第２の割付データ表示工程とは、割付装置のディスプレイ画面に第２の割付データを表示する工程である。
【００４４】
図３は図２のフローチャートに従って修正作業を行なう割付装置の基本構成を示すブロック図である。
【００４５】
図３において、２０は割付装置、２１は入力手段、２２は出力手段、２３は記憶手段、２４は部品データ記憶部、２５は第１の割付データ記憶部、２６は第２の割付データ記憶部、２７は演算手段、２８は第１の割付データ作成手段、２９は第２の割付データ作成手段、３０は第１の割付画像作成手段、３１は第１の階調割付画像作成手段、３２は第２の割付画像作成手段、３３は第２の階調割付画像作成手段、３４は階調統合画像作成手段、３５は点滅手段、３６は差分画像作成手段である。
【００４６】
図３において、記憶手段２３は、割付装置２０に存在している。また記憶手段２３は、部品データ記憶部２４と第１の割付データ記憶部２５と第２の割付データ記憶部２６を有しており、部品データ記憶部２４では部品データが記憶され、第１の割付データ記憶部２５では第１の割付データが記憶され、第２の割付データ記憶部２６では第２の割付データが記憶されている。なお本実施の形態では、記憶手段２３は割付装置２０内に設けられているがこれに限定する必要は無く、割付装置２０とは別に設けることも可能であり、例えばネットワーク等でつながったサーバーや外部メモリであってもよいがこれらに限定する必要は無い。また本実施の形態では、一つの記憶手段２３の中に部品データ記憶部２４と第１の割付データ記憶部２５と第２の割付データ記憶部２６とが存在しているがこれに限定するわけではなく、部品データ、第１の割付データ、第２の割付データを記憶することが可能であれば任意の形態を採用することが可能である。例えば、記憶手段を３つ設け、それぞれを部品データ記憶手段、第１の割付データ記憶手段、第２の割付データ記憶手段とすることも可能である。なおこれに限定するわけではない。
【００４７】
また演算手段２７は、本願修正方法が有する全工程を統括管理する機能を有すると共に、第１の割付データを作成する第１の割付データ作成手段２８と、第２の割付データを作成する第２の割付データ作成手段２９と、第１の割付画像を作成する第１の割付画像作成手段３０と、第１の階調割付画像を作成する第１の階調割付画像作成手段３１と、第２の割付画像を作成する第２の割付画像作成手段３２と、第２の階調割付画像を作成する第２の階調割付画像作成手段３３と、階調統合画像を作成する階調統合画像作成手段３４と、第１の階調割付画像を点滅させる点滅手段３５と、差分画像を作成する差分画像作成手段３６とを有している。
【００４８】
第１の割付データ作成手段２５は、記憶手段２３が有する部品データ記憶部２４に記憶されている部品データを、マウスとキーボードを用いて指示に従って作成する機能を有する手段である。また、第１の割付画像作成手段３０は、第１の割付データから第１の割付画像を作成する機能を有する手段であり、本実施の形態では、出力手段２２によってディスプレイ画面に出力された第１の割付データを、スクリーンショット機能により撮影することで第１の割付画像を作成している。また、第１の階調割付画像作成手段３１は、第１の割付画像から1色の濃淡のみの画像である階調画像を作成する機能を有する手段であり、本実施の形態では、第１の割付画像をまずグレーによる濃淡の画像に変換した後、シアンによる濃淡の画像に変換している。なお、本実施の形態では、第１の割付画像をグレーによる濃淡の画像に変換した後に、シアンによる濃淡の画像に変換しているがこれに限定する必要は無く、例えば、すぐにシアンによる濃淡の画像に変換してもよい。
【００４９】
第２の割付データ作成手段２９は、第１の割付データを修正指示に従って修正する機能を有する手段である。第２の割付画像作成手段３２は、第２の割付データを表示したディスプレイ画面から第２の割付画像を作成する機能を有する手段である。本実施の形態では、出力手段２１によってディスプレイ画面に出力された第１の割付データを、スクリーンショット機能により撮影することで第２の割付画像を作成している。なお、スクリーンショット機能によりディスプレイ画面を撮影する際は、第１の割付画像と第２の割付画像との大きさが同じになるように、第１の割付データと第２の割付データは同じ大きさで表示する必要がある。また第２の階調割付画像作成手段３３は、第２の割付画像から1色の濃淡のみの画像である階調画像を作成する機能を有する手段であり、本実施の形態では、第２の割付画像をまずグレーによる濃淡の画像に変換した後、マゼンタによる濃淡の画像に変換している。なお、本実施の形態では、第２の割付画像をグレーによる濃淡の画像に変換した後に、マゼンタによる濃淡の画像に変換しているがこれに限定する必要は無く、例えば、すぐにマゼンタによる濃淡の画像に変換してもよい。また、本実施の形態では、第１の階調割付画像にシアンを、第２の階調割付画像にマゼンタを採用しているがこれに限定する必要は無く、第１の階調割付画像と第２の階調割付画像を何色にするかは任意に定めることが可能である。
【００５０】
階調統合画像作成手段３４は、第１の階調割付画像と第２の階調割付画像とを重ねあわせる機能を有する手段である。また点滅手段３５は、階調統合画像のうち、第１の階調割付画像のみを点滅させる機能を有する手段である。このように、第１の階調割付画像を点滅させて階調統合画像と第２の階調割付画像とを交互に表示することによって、相違している部分の特定と、特定した部分において修正が正しくなされているかを確認することが可能になる。なお、少なくとも第１の階調割付画像を点滅させ修正が正しく行われているかを確認することが可能であれば、第２の階調割付画像も点滅するようにしてもよいし、逆に、点滅しないようにしてもよい。
【００５１】
差分画像作成手段３６は、第１の階調割付画像と第２の階調割付画像との差分を取った画像である差分画像を作成する機能を有する手段であり、本実施の形態では、位置ごとに、第１の階調割付画像の画素の値と、第２の階調割付画像の画素の値の差を計算し、差が０にならない場合は、その画素を表示させることで差分画像を作成している。なお第１の階調割付画像と第２の階調割付画像との差のみの画像を作成することが可能であれば、任意のやり方を採用することが可能である。
【００５２】
出力手段２２は、演算手段の命令により、第１の割付データや、第２の割付データや、第１の割付画像や、第２の割付画像や、第１の階調割付画像や、第２の階調割付画像や、統合画像や、階調統合画像をディスプレイ画面や紙に出力する機能を有する手段である。また、入力手段２１は、割付装置２０に信号を入力する機能を有する手段である。
【００５３】
なお本実施の形態では、1台の割付装置２０が全ての手段を有しているが、これに限定する必要は無く、複数の割付装置２０で手段を分割して有することも可能である。例えば、印刷会社と出版社とがそれぞれ出力手段２２を有するようにして、印刷会社と出版社で確認作業を平行して行うようにすることも可能であり、入力手段２１、記憶手段２３、演算手段２７、及び、出力手段２２は、目的に合わせて任意に配置することが可能である。
【００５４】
図４は、割付画像の概念正面図であり、図４（ａ）は図２の第１の割付画像作成工程６で作成された第１の割付画像の概念正面図であり、図４（ｂ）は図２の第２の割付画像作成工程９で作成された第２の割付画像の概念正面図である。なお、図４において、図３と同じ番号を付したものは同じものであるため説明を割愛し、４０は第１の割付画像、４２は第２の割付画像、４３は第１の枠、４４は第１の見出し、４５は第１の画像、４６は第１の本文、４７は第２の枠、４８は第２の見出し、４９は第２の画像、５０は第２の本文、５１は第１の割付画像の縦方向の長さ、５２は第１の割付画像の横方向の長さ、５３は第２の割付画像の縦方向の長さ、５４は第２の割付画像の横方向の長さである。
【００５５】
図４（ａ）において、第１の割付画像４０は、ディスプレイ画面に表示された第１の割付データをスクリーンショット機能で撮影したものであり、本実施の形態では、第１の枠４３と、部品データである第１の見出し４４、部品データである第１の画像４５、部品データである第１の本文４６とを有している。なお、第１の枠４３は、ディスプレイ画面上の第１の割付画像４０の端点を結んだものであり、部品データではない。また、第１の枠４２内に第１の見出し４４と第１の画像４５と第１の本文４６とが配置されており、正面からみて右上に第１の見出し４４、右下に第１の画像４５、左半分全体に第１の本文４６が配置されている。また図４（ｂ）において、第２の割付画像４２はディスプレイ画面に表示された第２の割付データをスクリーンショット機能で撮影したものであり、本実施の形態では、第２の枠４７と、部品データである第２の見出し４８、部品データである第２の画像４９、部品データである第２の本文５０とを有している。なお第１の割付画像４０と同様に、第２の枠４７は、ディスプレイ画面上の第２の割付画像の端点を結んだものであり、部品データではない。また、第２の枠内４７に第２の見出し４８と第２の画像４９と第２の本文５０とが配置されており、右上に第２の見出し４８、右下に第２の画像４９、左半分全体に第２の本文５０が配置されているが、修正指示により修正されており、第２の本文５０の位置が第１の割付データが有する第１の本文４６の位置よりも上部に移動している。なお第２の見出し４８と第２の画像４９は修正指示が無いため修正しておらず、第１の見出し４４と第１の画像４５とそれぞれ同じ位置に配置されている。
【００５６】
本実施の形態では、図示しないが同じディスプレイ画面に表示されている。そして入力手段２１であるマウスでクリックすることで、クリックした割付画像を前面に配置することが可能である。また、第１の割付画像４０と第２の割付画像４２は同じ大きさ、つまり、第１の割付画像の縦方向の長さ５１と第２の割付画像の縦方向の長さ５３は同じであり、かつ、第１の割付画像の横方向の長さ５２と第２の割付画像の横方向の長さ５４は同じである。また、画像の倍率も第１の割付画像４０と第２の割付画像４２では同じである。すなわち、第１の割付画像４０が、第１の割付データを７０％の大きさでディスプレイ画面に表示し、スクリーンショット機能で撮影されたものであるため、第２の割付画像４２も７０％の大きさでディスプレイ画面に表示し、スクリーンショット機能で撮影したものである。なお、本実施の形態では、第１の割付データと第２の割付データとを７０％の大きさでそれぞれディスプレイ画面に表示し、第１の割付画像４０と第２の割付画像４２とを作成したがこれに限定する必要は無く、第１の割付画像４０と第２の割付画像４２の大きさが同じであれば、任意の大きさで第１の割付画像４０と第２割付画像４２とを作成することが可能である。
【００５７】
図５は図２の第１の階調割付画像作成工程７において、図４の第１の割付画像をもとに作成された第１の階調割付画像と、図２の第２の階調割付画像作成工程１０において、図４の第２の割付画像をもとに作成された第２の階調割付画像とを重ね合わせた階調統合画像の概念図であり、図５（ａ）は階調統合画像の正面概念図、図５（ｂ）は階調統合画像の概念断面図である。図５において、図３、図４と同じ番号を付したものは同じ者であるため、説明を割愛し、５５は階調統合画像、５６は第１の階調割付画像、５７は第２の階調割付画像、５８は背景画像である。
【００５８】
図５において、階調統合画像５５は、シアンの濃淡による第１の階調割付画像５６と、マゼンタの濃淡による第２の階調割付画像５７とが重なったものであり、白い背景のみを有する背景画像５８の上に第２の階調割付画像５７が重ねられ、更に、第２の階調割付画像５７の上に第１の階調割付画像５６が重なっている。なお、重なった際に第１の階調割付画像５６で２の階調割付画像５７が覆い隠されることの無いよう、第１の階調割付画像５６と第２の階調割付画像５７とが透けていること、換言すれば、第１の階調割付画像５６と第２の階調割付画像５７との背景が透明である必要があり、本実施の形態では、階調統合画像５５を作成すると同時に第１の階調割付画像５６の背景と、第２の階調割付画像５７の背景を透明に設定し、白い背景のみを有する背景画像５８の上に、第２の階調割付画像５７、第１の階調割付画像５５の順で重ねている。このように、第１の階調統合画像５６と第２の階調統合画像５７の背景を共に透明にすることによって、第２の階調割付画像５７の上に第１の階調割付画像５６が重なった際に、第１の階調割付画像５６で２の階調割付画像５７が覆い隠されることを防ぐと同時に、相違点を特定することが可能になる。なお、本実施の形態では、第２の階調統合画像５７の上に第１の階調統合画像５６を重ねているが、これ限定するわけではなく重ねる順は任意に定めることが可能であり、例えば、第１の階調統合画像５６の上に第２の階調統合画像５７を重ねることも可能である。
【００５９】
なお、本実施の形態では、第１の階調統合画像５６と第２の階調統合画像５７とを重ね合わせると同時に第１の階調割付画像５６と第２の階調割付画像５７との背景を透明に設定したがこれに限定する必要は無く、第１の階調割付画像５６と第２の階調割付画像５７とが重なった際に、相違点を特定することが可能であれば、どの段階であってもよい。例えば、階調統合画像５５を作成する直前であっても良いし、また、第１の割付画像４０と第２の割付画像４２を作成する際に背景を透明にすることも可能であり、任意の時期を採用することが可能である。また透明にすることは、演算手段２７で実施可能である。なお、第１の割付画像４０と第２の割付画像４２の場合も同様に、統合画像を作成した際に、相違点を特定することが可能であれば、どの段階で背景を透明にしてもよい。
【００６０】
また、本実施の形態では、白い背景のみを有する背景画像５８の上に第２の統合割付画像５７と第１の統合割付画像５６とをこの順で重ねたが、これに限定する必要は無く、例えば背景画像５８は無くても良い。なお背景画像５８を使用しない場合では、少なくとも、重なった際に上に位置する割付画像の背景を透明に設定する必要がある。また、背景画像５８を使用する場合は、背景画像５８の色は白に限定する必要は無く、任意の色を採用することが可能である。例えば、黄色い紙の上に割付データが印刷される場合では、背景画像５８を紙の色と略同様の黄色に設定することも可能である。なお、割付データの修正が正しく行われたかどうかの確認が本システムの目的であるため、印刷される紙の色に関係なく、割付データをより鮮明に表示することが可能になるような背景にすることが好ましく、例えば、割付データのうち、もっとも注意して確認しなければならない部品データが有する色と補色の関係にある色を背景画像５８の色に採用すると、確認したい部分を鮮明に表示することが可能になるため好ましいが、これに限定するわけではない。また、背景画像５８が模様を有する場合では、相違点の特定が困難になるため、背景画像５８は模様を有していない無地が好ましいがこれに限定するわけではない。
【００６１】
図６は図５の第１の階調割付画像５６と第２の階調割付画像５７との差分を取った差分画像の概念図である。図６において図４、図５と同じ番号を付したものは同じものであるため説明を割愛し、６０は差分画像、６１は第１の本文と第２の本文とが重なりあう部分である。
【００６２】
本実施の形態では、第１の割付データに対する修正の指示は第１の割付データが有する第１の本文４６の位置を上方に移動させることであるため、第１の割付データと第２の割付データの違いは本文のみである。よって差分画像６０は、第１の割付データが有する第１の本文４６と第２の割付データが有する第２の本文５０となる。なお、本実施の形態では、差分画像６０は統合画像や階調統合画像５５と異なり、画像が重なっているわけではなく、１枚の画像である。なお、これに限定するわけでは無く、例えば、差分画像６０も統合画像や階調統合画像５５と同じように、第１の割付画像４０のうち、第２の割付画像４２と異なる部分のみを表示した第１の差分画像と、第２の割付画像４２のうち、第１の割付画像４０と異なる部分のみを表示した第２の差分画像とを重ね合わせて差分画像６０を形成することも可能である。また、本実施の形態では、図示しないが、差分画像６０のうち、第１の割付画像４０が第２の割付画像４２と異なっている部分はシアンであり、第２の割付画像４２が第１の割付画像４０と異なっている部分はマゼンタで表示されている。つまり、第１の割付画像４０が有していた第１の本文４６はシアンで、第２の割付画像４２が有していた第２の本文５０はマゼンタで表示されている。よって、第１の本文と第２の本文とが重なりあう部分６１は紫となっている。なお、これに限定するわけではなく、第１の割付データと第２の割付データとの差を示していれば任意の形態を採用することが可能である。例えば、第１の割付画像４０が第２の割付画像４２と異なっている部分と、第２の割付画像４２が第１の割付画像４０と異なっている部分とが同じ色であっても良いし、また、第１の割付画像４０が第２の割付画像４２と異なっている部分と、第２の割付画像４２が第１の割付画像４０と異なっている部分とが異なる色であっても良い。なお、本実施の形態のように、第１の割付画像４０が第２の割付画像４２と異なっている部分は、差分画像６０を作成する前の第１の階調割付画像５６が有する色と同じ色にし、第２の割付画像４２が第１の割付画像４０と異なっている部分は、差分画像６０を作成する前の第２の階調割付画像５７と同じ色にした方が、オペレータが混同することを防ぐことが可能になり、作業を円滑に進めることが可能になるため好ましいがこれに限定するわけではない。
【００６３】
また、本実施の形態では差分画像６０は、１枚の画像であるが、これに限定する必要は無く、第１の割付データと第２の割付データとの差のみを示す画像であればいずれも差分画像６０に相当し、例えば、差分画像６０も統合画像や階調統合画像５５と同じように、第１の割付画像のうち、第２の割付画像と異なる部分のみを表示した第１の差分画像と、第２の割付画像のうち、第１の割付画像と異なる部分のみを表示した第２の差分画像とを表示して比較するようにしてもうよい。なおこれに限定するわけではない。
【図面の簡単な説明】
【００６４】
【図１】図１は、従来の製版工程の概念工程図である。
【図２】図２は本願発明の修正方法を説明する概念図である。
【図３】図３は図２のフローチャートに従って修正作業を行なう割付装置の基本構成を示すブロック図である。
【図４】図４は、割付画像の概念正面図である。（ａ）は図２の第１の割付画像作成工程６で作成された第１の割付画像の概念正面図である。（ｂ）は図２の第２の割付画像作成工程９で作成された第２の割付画像の概念正面図である。
【図５】階調統合画像の概念図である。（ａ）は階調統合画像の正面概念図である。（ｂ）は階調統合画像の概念断面図である。
【図６】差分画像の概念図である。
【符号の説明】
【００６５】
１…割付作業、２…RIP展開、３…検版作業、４…修正作業、５…第１の割付データ表示工程、６…第１の割付画像作成工程、７…第１の階調割付画像作成工程、８…第２の割付データ作成工程、９…第２の割付画像作成工程、１０…第２の階調割付画像作成工程、１１…階調統合画像作成工程、１２…確認工程、１３…誤りがあるかどうかを判断する工程、１４…ＲＩＰ展開等の次工程、１５…第２の割付データ修正工程、２０…割付装置、２１…入力手段、２２…出力手段、２３…記憶手段、２４…部品データ記憶部、２５…第１の割付データ記憶部、２６…第２の割付データ記憶部、２７…演算手段、２８…第１の割付データ作成手段、２９…第２の割付データ作成手段、３０…第１の割付画像作成手段、３１…第１の階調割付画像作成手段、３２…第２の割付画像作成手段、３３…第２の階調割付画像作成手段、３４…階調統合画像作成手段、３５…点滅手段、３６…差分画像作成手段、４０…第１の割付画像、４２…第２の割付画像、４３…第１の枠、４４…第１の見出し、４５…第１の画像、４６…第１の本文、４７…第２の枠、４８…第２の見出し、４９…第２の画像、５０…第２の本文、５１…第１の割付画像の縦方向の長さ、５２…第１の割付画像の横方向の長さ、５３…第２の割付画像の縦方向の長さ、５４…第２の割付画像の横方向の長さ、５５…階調統合画像、５６…第１の階調割付画像、５７…第２の階調割付画像、５８…背景画像、６０…差分画像、６１…第１の本文と第２の本文とが重なりあう部分
【図１】
2006293894.tif 000003
【図２】
2006293894.tif 000004
【図３】
2006293894.tif 000005
【図４】
2006293894.tif 000006
【図５】
2006293894.tif 000007
【図６】
2006293894.tif 000008